(57)【要約】【課題】  コード、紐等の異物が、扉の下端と下レールの上端との間の隙間に入り込むのを防止し、異物の挟込みを簡易な構成により検出可能とする。【解決手段】  扉１ａの下端と下レール２の上端との間に形成された隙間９に下レール２の上端に接触しない程度に突出する異物押出片８が、扉の戸当り７側の先端下端部に設けられる。【選択図】図１
2006089233.tif 000002
【特許請求の範囲】
【請求項１】
エレベータかごに設けられたかご扉装置が上吊り式であるエレベータのかご扉装置において、扉の下端と下レールの上端との間に形成された隙間に下レールの上端に接触しない程度に突出する異物押出片が、扉の戸当り側の先端下端部に設けられていることを特徴とするエレベータのかご扉装置。
【請求項２】
異物押出片は扉の正面に設けられ、扉の下端に接触しない程度に上方に突出し、扉の下方にもぐり込むことのできるストッパーが、下レールの戸当り付近に設けられている請求項１記載のエレベータのかご扉装置。
【発明の詳細な説明】
【技術分野】
【０００１】
本願発明は、異物を挟み込んだままの状態で昇降動作することのない、安全性が配慮されたエレベータのかご扉装置に関するものである。
【背景技術】
【０００２】
エレベータ装置は、主に、人が乗るエレベータかご、エレベータかごを昇降させる駆動装置、各階に設けられた乗場扉装置、およびエレベータかごに設けられ、着床状態で乗場扉装置と連動して開閉するかご扉装置から構成されている。また、通常、かご扉装置には扉駆動部が備わり、乗場扉装置はかご扉装置と連動して開閉するようになっている。
【０００３】
このようなエレベータ装置では、従来、乗場とエレベータかご内にわたるコード、紐等の異物をドアで挟み込んだままエレベータかごが昇降することがないように、異物を検知することが行われている（たとえば、特許文献１参照）。たとえば、エレベータかご内の掃除を掃除機により行う場合、エレベータ装置の外部から電源を引いて掃除機をエレベータかご内に持ち込むため、この状態でエレベータかごが誤って昇降すると、非常に危険であるという配慮からである。
【特許文献１】実願平４−４１３１３号（実開平６−３９７６号）のＣＤ−ＲＯＭ
【発明の開示】
【発明が解決しようとする課題】
【０００４】
上記特許文献１に記載されたエレベータ装置では、扉とともに移動する異物検知用触角が設けられ、扉が閉動作する際に、異物検知用触角が、コード、紐等の乗場からエレベータかご内にわたる異物に接触すると、検知信号を発信し、発信された検知信号の入力により扉駆動部を作動させて扉の開動作を行わせるなどして、異物の存在を乗客に知らせるようにしている。
【０００５】
しかしながら、かご扉装置が上吊り式であるエレベータ装置の場合、扉は、その下端部に設けられたガイド片が下レールに形成されたガイド溝内に摺動して開閉するようになっているため、扉の下端と下レールの間には、通常、隙間が形成されており、コード、紐等の異物は、扉の閉動作にしたがってその隙間に入り込んでしまい、この状態を解消するのが容易でない。
【０００６】
そして、上記特許文献１に記載された異物検知用触角は、検知信号を発信する機能を有するものであり、また、異物検知用触角が発信する検知信号に基づいて扉の動作を制御する必要があるため、構成が簡易でないという問題がある。
【０００７】
本願発明は、このような事情に鑑みてなされたものであり、コード、紐等の異物が、扉の下端と下レールの上端との間の隙間に入り込むのを防止し、異物の挟込みを簡易な構成により検出可能としたエレベータのかご扉装置を提供することを解決すべき課題としている。
【課題を解決するための手段】
【０００８】
本願発明は、上記の課題を解決するために、第１には、エレベータかごに設けられたかご扉装置が上吊り式であるエレベータのかご扉装置において、扉の下端と下レールの上端との間に形成された隙間に下レールの上端に接触しない程度に突出する異物押出片が、扉の戸当り側の先端下端部に設けられていることを特徴としている。
【０００９】
本願発明は、第２には、異物押出片は扉の正面に設けられ、扉の下端に接触しない程度に上方に突出し、扉の下方にもぐり込むことのできるストッパーが、下レールの戸当り付近に設けられていることを特徴としている。
【発明の効果】
【００１０】
本願発明の第１のエレベータのかご扉装置によれば、コード、紐等の異物が、扉の下端と下レールの上端との間の隙間に入り込むことはなく、異物は押し出される。押し出された異物は、扉と戸当りとの間に挟まり、扉は完全に閉じられない。このため、かご扉装置の扉駆動部にあらかじめ備わる扉閉検知手段が作動せず、エレベータかごの昇降が不能となる。異物の挟込みが簡易な構成により実現される。
【００１１】
本願発明の第２のエレベータのかご扉装置によれば、異物押出片により押し出される異物は、ストッパーの上に乗り上がるため、異物は、扉と戸当りとの間に確実に挟まる。異物の検出が確実となる。
【発明を実施するための最良の形態】
【００１２】
以下、図面に沿って本願発明のエレベータのかご扉装置についてさらに詳しく説明する。
【００１３】
図１＜ａ＞＜ｂ＞＜ｃ＞は、それぞれ、本願発明のエレベータのかご扉装置の一実施形態を示した要部正面図、要部平面図、要部側面図である。
【００１４】
エレベータかごに設けられたかご扉装置１は上吊り式となっている。かご扉装置１に備わる扉１ａの下端部には、下レール２に形成されたガイド溝３内を摺動するガイド片４が左右に２つ設けられており、ガイド片４のガイド溝３内の摺動により扉１ａの開閉が案内される。扉１ａを開閉させる扉駆動部５は、扉１ａの上方に設けられており、扉駆動部５には、扉１ａが完全に閉まった状態を検知する扉閉検知手段６が備わっている。扉閉検知手段６には、たとえばリミットスイッチ等が採用可能であり、この場合、扉１ａが完全に閉まり、戸当り７と接触したときＯＮ状態となり、電気信号を発信し、図中に示していない制御装置に送信する。この扉閉検知の入力により、制御装置において扉１ａの閉状態が検出される。
【００１５】
扉１ａの戸当り７側の先端下端部には、正面に、異物押出片８が配設されている。異物押出片８は、戸当り７側に設けられたガイド片４よりもさらに戸当り７側に位置し、また、その下縁が、扉１ａの下端と下レール２の上端との間に形成された隙間９に、下レール２の上端に接触しない程度に突出している。つまり、異物押出片８の下縁と下レール２の上端との間には隙間ｄが形成されている。なお、隙間ｄの大きさは、コード、紐等の異物の径よりも小さくされる。
【００１６】
このようなエレベータのかご扉装置１では、図２に示したように、コード、紐等の異物１０が下レール２に跨って存在すると、扉１ａの閉動作にともなって異物押出片８が、異物１０を扉１ａの閉方向に押し出す。異物１０は、扉１ａの下端と下レール２の上端との間に形成された隙間９に入り込むことはなく、異物押出片８によって扉１ａの閉方向に押し出される。したがって、上吊り式のかご扉装置１に発生しやすかった、扉１ａの下端と下レール２の上端との間に形成された隙間９への異物１０の入り込みが防止される。
【００１７】
異物押出片８には、その略中央部に縦方向にのびる長穴８ａが形成され、上下の２箇所でビス１１により異物押出片８は、扉１ａの先端下端部に取り付けられている。したがって、異物１０との接触により扉１ａの開閉方向に位置ずれすることはなく、安定して異物押出片８は、異物１０を押し出すことができる。また、長穴８ａにより、異物押出片８の取付高さが変更可能であり、かご扉装置１の取付誤差等により形成される隙間９がエレベータ装置によって異なっても、常に一定の押出精度を確保することができる。さらに、ビス１１による異物押出片８の扉１ａの正面への取付けによって、既存のかご扉装置１の扉１ａに異物押出片８を後付けすることが可能となる。
【００１８】
扉１ａがさらに閉動作すると、コード、紐等の異物１０は、図３に示したように、特に矢視Ｙに示したように、扉１ａと戸当り７との間に挟まる。この状態では、それ以上の扉１ａの閉動作が阻止され、扉１ａは完全には閉まらない。このため、図１に示した扉閉検知手段６は作動せず、扉１ａの閉状態は検知されない。したがって、図に示していない制御装置は、扉閉検知の入力がないため、エレベータかごが昇降しないように制御する。
【００１９】
このように、かご扉装置１では、扉１ａの戸当り７側の先端下端部に、異物９を押し出す異物押出片８を設け、扉１ａの扉駆動部５に備わる既存の扉閉検知手段６による扉閉検知を利用している。このため、異物１０を、扉１ａの下端と下レール２の上端との間に形成された隙間９の下に入り込ませることなく、扉１ａと戸当り７との間に簡便に挟み込ませることができ、また、異物１０の挟込みの検出を簡易な構成により実現している。
【００２０】
また、かご扉装置１には、図１および図３に示したように、下レール２の戸当り７付近に、扉１ａの下端に接触しない程度に上方に突出するストッパー１２が設けられている。ストッパー１２は、扉１ａが閉まるとき、扉１ａの下端にもぐり込むことのできる高さ分上方に突出している。つまり、図３の矢視Ｘに示したように、ストッパー１２の上端と扉１ａの下端の間には十分小さな隙間Ｄが形成されている。前述の異物押出片８は、扉１ａの正面に設けられているため、ストッパー１２は、異物押出片８とも接触することがない。このようなストッパー１２は、たとえばゴム製などのものとすることができ、たとえば下レール２のガイド溝３内に嵌め込み、固定することができる。この場合、異物押出片８と同様に、ストッパー１２は、下レール２への後付けが可能となり、既存のかご扉装置１にも適用することができる。また、ストッパー１２は、下レール２と一体的に戸当り７付近に配設することも可能である。
【００２１】
以上のストッパー１２の配設により、異物押出片８により押し出された異物１０は、図３の矢視ＹおよびＺに示したように、戸当り７付近でストッパー１２の上に乗り上がる。このため、扉１ａと戸当り７の間への異物１０の挟込みが確実に実現され、異物１０の検出が確実となる。
【００２２】
もちろん、本願発明は、以上の実施形態によって限定されるものではない。扉駆動部や扉閉検知手段の構成および構造等の細部については様々な態様が可能であることはいうまでもない。
【図面の簡単な説明】
【００２３】
【図１】＜ａ＞＜ｂ＞＜ｃ＞は、それぞれ、本願発明のエレベータのかご扉装置の一実施形態を示した要部正面図、要部平面図、要部側面図である。
【図２】扉が閉まるときの状態を示した正面図およびそのＸ、Ｙ、Ｚ矢視図である。
【図３】扉が異物を挟んだ状態を示した正面図およびそのＸ、Ｙ、Ｚ矢視図である。
【符号の説明】
【００２４】
１    かご扉装置
１ａ    扉
２    下レール
３    ガイド溝
４    ガイド片
５    扉駆動部
６    扉閉検知手段
７    戸当り
８    異物押出片
８ａ    長穴
９    隙間
１０    異物
１１    ビス
１２    ストッパー
【図１】
2006089233.tif 000003
【図２】
2006089233.tif 000004
【図３】
2006089233.tif 000005